(57)【要約】【課題】無線基地局が、交換局ＭＭＥによって指定されたセルの全てに対して緊急情報を送信することができなかったことを交換局に対して通知する。【解決手段】本発明に係る移動通信方法は、無線基地局ｅＮＢが、交換局ＭＭＥから受信した送信要求によって指定されている複数のセルに対して報知情報を送信する工程Ａと、無線基地局ｅＮＢが、送信要求に応じて、交換局ＭＭＥに対して、セルの数及びセルの識別情報が設定されている情報要素を含む送信応答を送信する工程Ｂとを有し、工程Ｂにおいて、無線基地局ｅＮＢは、複数のセルの全てに対して報知情報を送信できなかった場合に、情報要素内のセルの数に「０」を設定する。【選択図】図７
2010178322.tif 000002
【特許請求の範囲】
【請求項１】
無線基地局が、交換局から受信した送信要求によって指定されている複数のセルに対して報知情報を送信する工程Ａと、
前記無線基地局が、前記送信要求に応じて、前記交換局に対して、セルの数及びセルの識別情報が設定されている情報要素を含む送信応答を送信する工程Ｂと、
前記交換局が、前記送信応答を受信する工程Ｃとを有し、
前記工程Ｂにおいて、前記無線基地局は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定し、
前記工程Ｂにおいて、前記無線基地局は、前記複数のセルの全てに対して前記報知情報を送信できなかった場合に、前記情報要素内の前記セルの数に「０」を設定し、
前記工程Ｃにおいて、前記交換局は、前記送信応答に含まれる前記情報要素内の前記セルの数に「０」が設定されている場合に、前記無線基地局において障害が発生していることを検出することを特徴とする移動通信方法。
【請求項２】
前記工程Ｂにおいて、前記無線基地局は、前記複数のセルの全てに対して前記報知情報を送信できなかった場合に、前記情報要素内に、前記障害の原因を設定し、
前記工程Ｃにおいて、前記交換局は、前記送信応答に含まれる前記情報要素内に設定されている前記障害の原因に対応する処理を行うことを特徴とする請求項１に記載の移動通信方法。
【請求項３】
無線基地局が、交換局から受信した送信要求によって指定されている複数のセルに対して報知情報を送信する工程Ａと、
前記無線基地局が、前記送信要求に応じて、前記交換局に対して、セルの数及びセルの識別情報が設定されている情報要素を含む送信応答を送信する工程Ｂと、
前記交換局が、前記送信応答を受信する工程Ｃとを有し、
前記工程Ｂにおいて、前記無線基地局は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定し、
前記工程Ｂにおいて、前記無線基地局は、前記複数のセルの全てに対して前記報知情報を送信できなかった場合に、前記情報要素を含まない送信応答を送信し、
前記工程Ｃにおいて、前記交換局は、前記情報要素を含まない送信応答を受信した場合に、前記無線基地局において障害が発生していることを検出することを特徴とする移動通信方法。
【請求項４】
無線基地局が、交換局から受信した送信要求によって指定されている複数のセルに対して報知情報を送信する工程Ａと、
前記無線基地局が、前記送信要求に応じて、送信応答を送信する工程Ｂと、
前記交換局が、前記送信応答を受信する工程Ｃとを有し、
前記工程Ｂにおいて、前記無線基地局は、前記複数のセルの少なくとも１つのセルに対する前記報知情報の送信に成功した場合に、該報知情報の送信に成功したセルの数及び識別情報が設定されている情報要素を含む第１送信応答を送信し、
前記工程Ｂにおいて、前記無線基地局は、前記複数のセルの全てに対して前記報知情報を送信できなかった場合に、前記情報要素を含まない第２送信応答を送信し、
前記工程Ｃにおいて、前記交換局は、前記第２送信応答を受信した場合に、前記無線基地局において障害が発生していることを検出することを特徴とする移動通信方法。
【請求項５】
交換局から受信した送信要求によって指定されている複数のセルに対して報知情報を送信するように構成されている報知情報送信部と、
前記送信要求に応じて、前記交換局に対して、セルの数及びセルの識別情報が設定されている情報要素を含む送信応答を送信するように構成されている送信応答送信部とを具備し、
前記送信応答送信部は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定するように構成されており、
前記送信応答送信部は、前記複数のセルの全てに対して前記報知情報を送信できなかった場合に、前記情報要素内の前記セルの数に「０」を設定するように構成されていることを特徴とする無線基地局。
【請求項６】
前記報知情報送信部は、前記複数のセルの全てに対して前記報知情報を送信できなかった場合に、前記情報要素内に、前記障害の原因を設定するように構成されていることを特徴とする請求項５に記載の無線基地局。
【請求項７】
交換局から受信した送信要求によって指定されている複数のセルに対して報知情報を送信するように構成されている報知情報送信部と、
前記送信要求に応じて、前記交換局に対して、セルの数及びセルの識別情報が設定されている情報要素を含む送信応答を送信するように構成されている送信応答送信部とを具備し、
前記送信応答送信部は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定するように構成されており、
前記送信応答送信部は、前記複数のセルの全てに対して前記報知情報を送信できなかった場合に、前記情報要素を含まない送信応答を送信するように構成されていることを特徴とする無線基地局。
【請求項８】
交換局から受信した送信要求によって指定されている複数のセルに対して報知情報を送信するように構成されている報知情報送信部と、
前記送信要求に応じて、前記交換局に対して、送信応答を送信するように構成されている送信応答送信部とを具備し、
前記送信応答送信部は、前記複数のセルの少なくとも１つのセルに対する前記報知情報の送信に成功した場合に、該報知情報の送信に成功したセルの数及び識別情報が設定されている情報要素を含む第１送信応答を送信するように構成されており、
前記送信応答送信部は、前記複数のセルの全てに対して前記報知情報を送信できなかった場合に、前記情報要素を含まない第２送信応答を送信するように構成されていることを特徴とする無線基地局。
【発明の詳細な説明】
【技術分野】
【０００１】
本発明は、移動通信方法及び無線基地局に関する。
【背景技術】
【０００２】
３ＧＰＰで規定されている移動通信システムでは、交換局ＭＭＥが、Ｓ１インターフェイスを介して、無線基地局ｅＮＢに対して、「ＷＲＩＴＥ-ＲＥＰＬＡＣＥ  ＷＡＲＮＩＮＧ  ＲＥＱＵＥＳＴメッセージ」を送信し、無線基地局ｅＮＢが、特定エリア内の複数のセルに対して、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報等の緊急情報を送信するように構成されている。
【先行技術文献】
【非特許文献】
【０００３】
【非特許文献１】３ＧＰＰ  ＴＳ３６.４１３
【発明の概要】
【発明が解決しようとする課題】
【０００４】
しかしながら、従来の移動通信システムでは、無線基地局ｅＮＢが、交換局ＭＭＥによって指定されたセルの全てに対して緊急情報を送信することができなかった場合に、その旨を交換局ＭＭＥに通知することができないという問題点が会った。
【０００５】
そこで、本発明は、上述の課題に鑑みてなされたものであり、無線基地局が、交換局ＭＭＥによって指定されたセルの全てに対して緊急情報を送信することができなかったことを交換局に対して通知することができる移動通信方法及び無線基地局を提供することを目的とする。
【課題を解決するための手段】
【０００６】
本発明の第１の特徴は、移動通信方法であって、無線基地局が、交換局から受信した送信要求によって指定されている複数のセルに対して報知情報を送信する工程Ａと、前記無線基地局が、前記送信要求に応じて、前記交換局に対して、セルの数及びセルの識別情報が設定されている情報要素を含む送信応答を送信する工程Ｂと、前記交換局が、前記送信応答を受信する工程Ｃとを有し、前記工程Ｂにおいて、前記無線基地局は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定し、前記工程Ｂにおいて、前記無線基地局は、前記複数のセルの全てに対して前記報知情報を送信できなかった場合に、前記情報要素内の前記セルの数に「０」を設定し、前記工程Ｃにおいて、前記交換局は、前記送信応答に含まれる前記情報要素内の前記セルの数に「０」が設定されている場合に、前記無線基地局において障害が発生していることを検出することを要旨とする。
【０００７】
本発明の第２の特徴は、移動通信方法であって、無線基地局が、交換局から受信した送信要求によって指定されている複数のセルに対して報知情報を送信する工程Ａと、前記無線基地局が、前記送信要求に応じて、前記交換局に対して、セルの数及びセルの識別情報が設定されている情報要素を含む送信応答を送信する工程Ｂと、前記交換局が、前記送信応答を受信する工程Ｃとを有し、前記工程Ｂにおいて、前記無線基地局は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定し、前記工程Ｂにおいて、前記無線基地局は、前記複数のセルの全てに対して前記報知情報を送信できなかった場合に、前記情報要素を含まない送信応答を送信し、前記工程Ｃにおいて、前記交換局は、前記情報要素を含まない送信応答を受信した場合に、前記無線基地局において障害が発生していることを検出することを要旨とする。
【０００８】
本発明の第３の特徴は、移動通信方法であって、無線基地局が、交換局から受信した送信要求によって指定されている複数のセルに対して報知情報を送信する工程Ａと、前記無線基地局が、前記送信要求に応じて、送信応答を送信する工程Ｂと、前記交換局が、前記送信応答を受信する工程Ｃとを有し、前記工程Ｂにおいて、前記無線基地局は、前記複数のセルの少なくとも１つのセルに対する前記報知情報の送信に成功した場合に、該報知情報の送信に成功したセルの数及び識別情報が設定されている情報要素を含む第１送信応答を送信し、前記工程Ｂにおいて、前記無線基地局は、前記複数のセルの全てに対して前記報知情報を送信できなかった場合に、前記情報要素を含まない第２送信応答を送信し、前記工程Ｃにおいて、前記交換局は、前記第２送信応答を受信した場合に、前記無線基地局において障害が発生していることを検出することを要旨とする。
【０００９】
本発明の第４の特徴は、無線基地局であって、交換局から受信した送信要求によって指定されている複数のセルに対して報知情報を送信するように構成されている報知情報送信部と、前記送信要求に応じて、前記交換局に対して、セルの数及びセルの識別情報が設定されている情報要素を含む送信応答を送信するように構成されている送信応答送信部とを具備し、前記送信応答送信部は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定するように構成されており、前記送信応答送信部は、前記複数のセルの全てに対して前記報知情報を送信できなかった場合に、前記情報要素内の前記セルの数に「０」を設定するように構成されていることを要旨とする。
【００１０】
本発明の第５の特徴は、無線基地局であって、交換局から受信した送信要求によって指定されている複数のセルに対して報知情報を送信するように構成されている報知情報送信部と、前記送信要求に応じて、前記交換局に対して、セルの数及びセルの識別情報が設定されている情報要素を含む送信応答を送信するように構成されている送信応答送信部とを具備し、前記送信応答送信部は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定するように構成されており、前記送信応答送信部は、前記複数のセルの全てに対して前記報知情報を送信できなかった場合に、前記情報要素を含まない送信応答を送信するように構成されていることを要旨とする。
【００１１】
本発明の第６の特徴は、無線基地局であって、交換局から受信した送信要求によって指定されている複数のセルに対して報知情報を送信するように構成されている報知情報送信部と、前記送信要求に応じて、前記交換局に対して、送信応答を送信するように構成されている送信応答送信部とを具備し、前記送信応答送信部は、前記複数のセルの少なくとも１つのセルに対する前記報知情報の送信に成功した場合に、該報知情報の送信に成功したセルの数及び識別情報が設定されている情報要素を含む第１送信応答を送信するように構成されており、前記送信応答送信部は、前記複数のセルの全てに対して前記報知情報を送信できなかった場合に、前記情報要素を含まない第２送信応答を送信するように構成されていることを要旨とする。
【発明の効果】
【００１２】
以上説明したように、本発明によれば、無線基地局が、交換局ＭＭＥによって指定されたセルの全てに対して緊急情報を送信することができなかったことを交換局に対して通知することができる移動通信方法及び無線基地局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る交換局によって送信される「ＷＲＩＴＥ-ＲＥＰＬＡＣＥ  ＷＡＲＮＩＮＧ  ＲＥＱＵＥＳＴメッセージ」について説明するための図である。
【図４】本発明の第１の実施形態に係る交換局によって送信される「ＷＲＩＴＥ-ＲＥＰＬＡＣＥ  ＷＡＲＮＩＮＧ  ＲＥＱＵＥＳＴメッセージ」に含まれる情報要素「Ｗａｒｎｉｎｇ  Ａｒｅａ  Ｌｉｓｔ」について説明するための図である。
【図５】本発明の第１の実施形態に係る無線基地局によって送信される「ＷＲＩＴＥ-ＲＥＰＬＡＣＥ  ＷＡＲＮＩＮＧ  ＲＥＳＰＯＮＳＥメッセージ」について説明するための図である。
【図６】本発明の第１の実施形態に係る無線基地局によって送信される「ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」について説明するための図である。
【図７】本発明の第１の実施形態に係る交換局の機能ブロック図である。
【図８】本発明の第１の実施形態に係る移動通信システムの動作を示すシーケンス図である。
【図９】変更例１に係る無線基地局によって送信される「ＷＲＩＴＥ-ＲＥＰＬＡＣＥ  ＷＡＲＮＩＮＧ  ＲＥＳＰＯＮＳＥメッセージ」について説明するための図である。
【図１０】変更例２に係る無線基地局によって送信される「ＷＲＩＴＥ-ＲＥＰＬＡＣＥ  ＷＡＲＮＩＮＧ  ＦＡＩＬＵＲＥメッセージ」について説明するための図である。
【発明を実施するための形態】
【００１４】
（本発明の第１の実施形態に係る移動通信システムの構成）
図１乃至図６を参照して、本発明の第１の実施形態に係る移動通信システムの構成について説明する。
【００１５】
本明細書では、本実施形態に係る移動通信システムとして、ＬＴＥ方式の移動通信システムを例に挙げて説明しているが、本実施形態に係る移動通信システムは、他の方式の移動通信システムであってもよい。
【００１６】
図１に示すように、本実施形態に係る移動通信システムは、ＣＢＥ（Ｃｅｌｌ  Ｂｒｏａｄｃａｓｔ  Ｅｎｔｉｔｙ）と、ＣＢＣ（Ｃｅｌｌ  Ｂｒｏａｄｃａｓｔ  Ｃｅｎｔｅｒ）と、交換局ＭＭＥと、保守運用装置１０と、無線基地局ｅＮＢ＃１乃至＃ｎとを具備している。
【００１７】
本実施形態に係る移動通信システムでは、無線基地局ｅＮＢ＃１乃至＃ｎが、交換局ＭＭＥから受信した「ＷＲＩＴＥ-ＲＥＰＬＡＣＥ  ＷＡＲＮＩＮＧ  ＲＥＱＵＥＳＴメッセージ（送信要求）」に応じて、セル＃１乃至セル＃３に対して、報知情報（例えば、ＥＴＷＳ情報等の緊急情報）を送信するように構成されている。
【００１８】
無線基地局ｅＮＢ＃１乃至＃ｎの構成は、基本的に同一であるため、以下、これらをまとめて無線基地局ｅＮＢと記載する。図２に示すように、無線基地局ｅＮＢは、送信要求受信部１１と、報知情報送信部１２と、送信応答送信部１３とを具備している。
【００１９】
送信要求受信部１１は、交換局ＭＭＥによって送信された「ＷＲＩＴＥ-ＲＥＰＬＡＣＥ  ＷＡＲＮＩＮＧ  ＲＥＱＵＥＳＴメッセージ」を受信するように構成されている。
【００２０】
報知情報送信部１２は、送信要求受信部１１によって受信された「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信するように構成されている。
【００２１】
図３に、「ＷＲＩＴＥ-ＲＥＰＬＡＣＥ  ＷＡＲＮＩＮＧ  ＲＥＱＵＥＳＴメッセージ」に含まれる情報要素を示す。各情報要素に設定可能な情報は、「ＩＥ  ｔｙｐｅ  ａｎｄ  ｒｅｆｅｒｅｎｃｅ」に記載されている「３ＧＰＰ  ＴＳ３６.４１３」の各章に規定されている（例えば、９.２.１.１章に「Ｍｅｓｓａｇｅ  Ｔｙｐｅ」が規定されている）。
【００２２】
例えば、情報要素「Ｗａｒｎｉｎｇ  Ａｒｅａ  Ｌｉｓｔ」には、図４に示すように、報知情報の送信対象のセルの数を示す「Ｃｅｌｌ  ＩＤ  Ｌｉｓｔ」及び当該セルの識別情報（セルＩＤ）を示す「Ｅ-ＣＧＩ（Ｅ-ＵＴＲＡＮ  Ｃｅｌｌ  Ｇｌｏｂａｌ  Ｉｄｅｎｔｉｆｉｅｒ）」、報知情報の送信対象の複数のセルを含むトラッキングエリアＴＡの数を示す「ＴＡＩ（Ｔｒａｃｋｉｎｇ  Ａｒｅａ  Ｉｄｅｎｔｉｆｉｅｒ）  Ｌｉｓｔ」及び当該トラッキングエリアの識別情報を示す「ＴＡＩ」、或いは、報知情報の送信対象の複数のセルを含む緊急エリアの数を示す「Ｅｍｅｒｇｅｎｃｙ  Ａｒｅａ  ＩＤ  Ｌｉｓｔ」及び当該緊急エリアの識別情報を示す「Ｅｍｅｒｇｅｎｃｙ  Ａｒｅａ  ＩＤ」が設定可能である。
【００２３】
送信応答送信部１３は、「ＷＲＩＴＥ-ＲＥＰＬＡＣＥ  ＷＡＲＮＩＮＧ  ＲＥＱＵＥＳＴメッセージ」に応じて、「ＷＲＩＴＥ-ＲＥＰＬＡＣＥ  ＷＡＲＮＩＮＧ  ＲＥＳＰＯＮＳＥメッセージ（送信応答）」を送信するように構成されている。
【００２４】
図５に、「ＷＲＩＴＥ-ＲＥＰＬＡＣＥ  ＷＡＲＮＩＮＧ  ＲＥＳＰＯＮＳＥメッセージ」に含まれる情報要素を示す。各情報要素に設定可能な情報は、「ＩＥ  ｔｙｐｅ  ａｎｄ  ｒｅｆｅｒｅｎｃｅ」に記載されている「３ＧＰＰ  ＴＳ３６.４１３」の各章に規定されている（例えば、９.２.１.１章に「Ｍｅｓｓａｇｅ  Ｔｙｐｅ」が規定されている）。
【００２５】
例えば、図６に示すように、情報要素「Ｂｒｏａｄｃａｓｔ  Ｃｏｍｐｌｅｔｅｄ  Ａｒｅａ  Ｌｉｓｔ」には、報知情報の送信に成功したセルの数を示す「Ｃｅｌｌ  ＩＤ  Ｂｒｏａｄｃａｓｔ」及び当該セルの識別情報を示す「Ｅ-ＣＧＩ」が設定可能である。
【００２６】
または、情報要素「Ｂｒｏａｄｃａｓｔ  Ｃｏｍｐｌｅｔｅｄ  Ａｒｅａ  Ｌｉｓｔ」には、報知情報の送信に成功したトラッキングエリアの数を示す「ＴＡＩ  Ｂｒｏａｄｃａｓｔ」、当該トラッキングエリアの識別情報を示す「ＴＡＩ」、当該トラッキングエリアに含まれるセルの数を示す「Ｃｏｍｐｌｅｔｅｄ  Ｃｅｌｌ  ｉｎ  ＴＡＩ  Ｌｉｓｔ」、及び、当該トラッキングエリアに含まれるセルの識別情報を示す「Ｅ-ＣＧＩ」が設定可能である。
【００２７】
或いは、情報要素「Ｂｒｏａｄｃａｓｔ  Ｃｏｍｐｌｅｔｅｄ  Ａｒｅａ  Ｌｉｓｔ」には、報知情報の送信に成功した緊急エリアの数を示す「Ｅｍｅｒｇｅｎｃｙ  Ａｒｅａ  ＩＤ  Ｂｒｏａｄｃａｓｔ」、当該緊急エリアの識別情報を示す「Ｅｍｅｒｇｅｎｃｙ  Ａｒｅａ  ＩＤ」、当該緊急エリアに含まれるセルの数を示す「Ｃｏｍｐｌｅｔｅｄ  Ｃｅｌｌ  ｉｎ  Ｅｍｅｒｇｅｎｃｙ  Ａｒｅａ  ＩＤ  Ｌｉｓｔ」、及び、当該緊急エリアに含まれるセルの識別情報を示す「Ｅ-ＣＧＩ」が設定可能である。
【００２８】
ここで、送信応答送信部１３は、複数のセルの少なくとも１つのセルに対する報知情報の送信に成功した場合に、報知情報の送信に成功したセルの数を、情報要素「Ｂｒｏａｄｃａｓｔ  Ｃｏｍｐｌｅｔｅｄ  Ａｒｅａ  Ｌｉｓｔ」内の「Ｃｅｌｌ  ＩＤ  Ｂｒｏａｄｃａｓｔ」に設定し、当該セルの識別情報を、情報要素「Ｂｒｏａｄｃａｓｔ  Ｃｏｍｐｌｅｔｅｄ  Ａｒｅａ  Ｌｉｓｔ」内の「Ｅ-ＣＧＩ」に設定するように構成されている。
【００２９】
または、送信応答送信部１３は、複数のセルの少なくとも１つのセルに対する報知情報の送信に成功した場合に、報知情報の送信に成功したセルの数を、情報要素「Ｂｒｏａｄｃａｓｔ  Ｃｏｍｐｌｅｔｅｄ  Ａｒｅａ  Ｌｉｓｔ」内の「Ｃｏｍｐｌｅｔｅｄ  Ｃｅｌｌ  ｉｎ  ＴＡＩ  Ｌｉｓｔ」に設定し、当該セルの識別情報を、情報要素「Ｂｒｏａｄｃａｓｔ  Ｃｏｍｐｌｅｔｅｄ  Ａｒｅａ  Ｌｉｓｔ」内の「Ｅ-ＣＧＩ」に設定するように構成されている。
【００３０】
或いは、送信応答送信部１３は、複数のセルの少なくとも１つのセルに対する報知情報の送信に成功した場合に、報知情報の送信に成功したセルの数を、情報要素「Ｂｒｏａｄｃａｓｔ  Ｃｏｍｐｌｅｔｅｄ  Ａｒｅａ  Ｌｉｓｔ」内の「Ｃｏｍｐｌｅｔｅｄ  Ｃｅｌｌ  ｉｎ  Ｅｍｅｒｇｅｎｃｙ  Ａｒｅａ  ＩＤ  Ｌｉｓｔ」に設定し、当該セルの識別情報を、情報要素「Ｂｒｏａｄｃａｓｔ  Ｃｏｍｐｌｅｔｅｄ  Ａｒｅａ  Ｌｉｓｔ」内の「Ｅ-ＣＧＩ」に設定するように構成されている。
【００３１】
また、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内の「Ｃｅｌｌ  ＩＤ  Ｂｒｏａｄｃａｓｔ」、「Ｃｏｍｐｌｅｔｅｄ  Ｃｅｌｌ  ｉｎ  ＴＡＩ  Ｌｉｓｔ」或いは「Ｃｏｍｐｌｅｔｅｄ  Ｃｅｌｌ  ｉｎ  Ｅｍｅｒｇｅｎｃｙ  Ａｒｅａ  ＩＤ  Ｌｉｓｔ」に「０」をするように構成されている。
【００３２】
なお、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内に、「Ｃａｕｓｅ（障害の原因）」を設定するように構成されていてもよい。
【００３３】
図７に示すように、交換局ＭＭＥは、報知情報受信部２１と、送信要求送信部２２と、送信応答受信部２３と、記憶部２４と、通知部２５とを具備している。
【００３４】
報知情報受信部２１は、ＣＢＣから特定エリア（本実施形態では、セル１乃至セル３に対して送信すべき報知情報を受信するように構成されている。
【００３５】
送信要求送信部２２は、報知情報受信部２１によって受信された報知情報を特定エリアに送信するように要求する「ＷＲＩＴＥ-ＲＥＰＬＡＣＥ  ＷＡＲＮＩＮＧ  ＲＥＱＵＥＳＴメッセージ」を、無線基地局ｅＮＢに送信するように構成されている。
【００３６】
送信応答受信部２３は、無線基地局ｅＮＢによって送信された「ＷＲＩＴＥ-ＲＥＰＬＡＣＥ  ＷＡＲＮＩＮＧ  ＲＥＳＰＯＮＳＥメッセージ」を受信するように構成されている。
【００３７】
ここで、送信応答受信部２３は、「ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」内のセルの数（例えば、「Ｃｅｌｌ  ＩＤ  Ｂｒｏａｄｃａｓｔ」、「Ｃｏｍｐｌｅｔｅｄ  Ｃｅｌｌ  ｉｎ  ＴＡＩ  Ｌｉｓｔ」或いは「Ｃｏｍｐｌｅｔｅｄ  Ｃｅｌｌ  ｉｎ  Ｅｍｅｒｇｅｎｃｙ  Ａｒｅａ  ＩＤ  Ｌｉｓｔ」）に「０」が設定されている場合に、無線基地局ｅＮＢにおいて障害が発生していることを検出するように構成されている。
【００３８】
送信応答受信部２３は、かかる障害について、記憶部２４に記憶するように構成されていてもよいし、通知部２５を介して保守運用装置１０に通知するように構成されていてもよい。
【００３９】
なお、送信応答受信部２３は、「ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」内に設定されている「Ｃａｕｓｅ」に対応する処理を行うように構成されていてもよい。
【００４０】
（本発明の第１の実施形態に係る移動通信システムの動作）
以下、図７を参照して、本実施形態に係る移動通信システムの動作について説明する。
【００４１】
図７に示すように、ステップＳ１００１において、ＣＢＥは、ＣＢＣに対して、特定エリアに送信すべき緊急情報を含む「ＥＭＥＲＧＥＮＣＹ  ＢＲＯＡＤＣＡＳＴ  ＲＥＱＵＥＳＴメッセージ」を送信し、ステップＳ１００２において、ＣＢＣは、交換局ＭＭＥに対して、特定エリアに送信すべき緊急情報を含む「ＷＲＩＴＥ-ＲＥＰＬＡＣＥ  ＷＡＲＮＩＮＧ  ＲＥＱＵＥＳＴメッセージ」を送信する。
【００４２】
交換局ＭＭＥは、ステップＳ１００５において、無線基地局ｅＮＢに対して、特定エリアに送信すべき緊急情報を含む「ＷＲＩＴＥ-ＲＥＰＬＡＣＥ  ＷＡＲＮＩＮＧ  ＲＥＱＵＥＳＴメッセージ」を送信すると共に、ステップＳ１００４において、無線基地局ｅＮＢによって送信される「ＷＲＩＴＥ-ＲＥＰＬＡＣＥ  ＷＡＲＮＩＮＧ  ＲＥＳＰＯＮＳＥメッセージ」の受信を待たずに、ＣＢＣに対して、「ＷＲＩＴＥ-ＲＥＰＬＡＣＥ  ＷＡＲＮＩＮＧ  Ｃｏｎｆｉｒｍメッセージ」を送信する。
【００４３】
ステップＳ１００４において、ＣＢＣは、「ＷＲＩＴＥ-ＲＥＰＬＡＣＥ  ＷＡＲＮＩＮＧ  ＣＯＮＦＩＲＭメッセージ」に応じて、ＣＢＥに対して、「ＥＭＥＲＧＥＮＣＹ  ＢＲＯＡＤＣＡＳＴ  ＲＥＳＰＯＮＳＥメッセージ」を送信する。
【００４４】
ステップＳ１００６において、無線基地局ｅＮＢは、「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信する。
【００４５】
ステップＳ１００７において、上述の複数のセルのいずれかに在圏している移動局ＵＥは、かかる報知情報を受信して表示する。
【００４６】
ステップＳ１００８において、無線基地局ｅＮＢは、交換局ＭＭＥに対して、「ＷＲＩＴＥ-ＲＥＰＬＡＣＥ  ＷＡＲＮＩＮＧ  ＲＥＳＰＯＮＳＥメッセージ」を送信する。
【００４７】
ここで、無線基地局ｅＮＢは、複数のセルの少なくとも１つのセルに対する報知情報の送信に成功した場合に、報知情報の送信に成功したセルの数及び識別情報を、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）及びセルの識別情報（例えば、Ｅ-ＣＧＩ）として設定する。
【００４８】
一方、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」を設定する。
【００４９】
ステップＳ１００９において、交換局ＭＭＥは、「ＷＲＩＴＥ-ＲＥＰＬＡＣＥ  ＷＡＲＮＩＮＧ  ＲＥＳＰＯＮＳＥメッセージ」を受信する。
【００５０】
ここで、交換局ＭＭＥは、ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」が設定されている場合に、無線基地局ｅＮＢにおいて障害が発生していることを検出する。
【００５１】
（本発明の第１の実施形態に係る移動通信システムの作用・効果）
本発明の第１の実施形態に係る移動通信システムによれば、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」を設定した「ＷＲＩＴＥ-ＲＥＰＬＡＣＥ  ＷＡＲＮＩＮＧ  ＲＥＳＰＯＮＳＥメッセージ」を、交換局ＭＭＥに送信することによって、交換局ＭＭＥによって指定されたセルの全てに対して緊急情報を送信することができなかったことを交換局ＭＭＥに対して通知することができる。
【００５２】
（変更例１）
図９を参照して、上述の第１の実施形態に係る移動通信システムの変更例１について説明する。以下、本変更例１に係る移動通信システムについて、上述の第１の実施形態に係る移動通信システムとの相違点について着目して説明する。
【００５３】
無線基地局ｅＮＢの送信応答送信部１３は、交換局ＭＭＥによって指定された複数のセルの全てに対して報知情報を送信できなかった場合に、図９に示すように、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を送信するように構成されている。
【００５４】
交換局ＭＭＥの送信応答受信部２３は、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を受信した場合に、無線基地局ｅＮＢにおいて障害が発生していることを検出するように構成されている。
【００５５】
本変更例１に係る移動通信システムによれば、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を、交換局ＭＭＥに送信することによって、交換局ＭＭＥによって指定されたセルの全てに対して緊急情報を送信することができなかったことを交換局ＭＭＥに対して通知することができる。
【００５６】
（変更例２）
図１０を参照して、上述の第１の実施形態に係る移動通信システムの変更例２について説明する。以下、本変更例２に係る移動通信システムについて、上述の第１の実施形態に係る移動通信システムとの相違点について着目して説明する。
【００５７】
無線基地局ｅＮＢの送信応答送信部１３は、交換局ＭＭＥによって指定された複数のセルの少なくとも１つのセルに対する前記報知情報の送信に成功した場合に、報知情報の送信に成功したセルの数（例えば、Ｃｅｌｌ  ＩＤ  Ｂｒｏａｄｃａｓｔ）及び識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＱＵＥＳＴメッセージ（第１送信応答）」を送信するように構成されている。
【００５８】
一方、無線基地局ｅＮＢの送信応答送信部１３は、交換局ＭＭＥによって指定された複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＦＡＩＬＵＲＥメッセージ（第２送信応答）」を送信するように構成されている。
【００５９】
交換局ＭＭＥの送信応答受信部２３は、「ＷＲＩＴＥ-ＲＥＰＬＡＣＥ  ＷＡＲＮＩＮＧ  ＦＡＩＬＵＲＥメッセージ」を受信した場合に、無線基地局ｅＮＢにおいて障害が発生していることを検出するように構成されている。
【００６０】
本変更例２に係る移動通信システムによれば、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＦＡＩＬＵＲＥメッセージ」を、交換局ＭＭＥに送信することによって、交換局ＭＭＥによって指定されたセルの全てに対して緊急情報を送信することができなかったことを交換局ＭＭＥに対して通知することができる。
【００６１】
以上に述べた本実施形態の特徴は、以下のように表現されていてもよい。
【００６２】
本実施形態の第１の特徴は、移動通信方法であって、無線基地局ｅＮＢが、交換局ＭＭＥから受信した「ＷＲＩＴＥ-ＲＥＰＬＡＣＥ  ＷＡＲＮＩＮＧ  ＲＥＱＵＥＳＴメッセージ（送信要求）」に含まれている情報要素「Ｗａｒｎｉｎｇ  Ａｒｅａ  Ｌｉｓｔ」によって指定されている複数のセルに対して報知情報を送信する工程Ａと、無線基地局ｅＮＢが、「ＷＲＩＴＥ-ＲＥＰＬＡＣＥ  ＷＡＲＮＩＮＧ  ＲＥＱＵＥＳＴメッセージ」に応じて、交換局ＭＭＥに対して、セルの数（例えば、Ｃｅｌｌ  ＩＤ  Ｂｒｏａｄｃａｓｔ）及びセルの識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ（送信応答）」を送信する工程Ｂと、交換局ＭＭＥが、「ＷＲＩＴＥ-ＲＥＰＬＡＣＥ  ＷＡＲＮＩＮＧ  ＲＥＳＰＯＮＳＥメッセージ」を受信する工程Ｃとを有し、工程Ｂにおいて、無線基地局ｅＮＢは、複数のセルの少なくとも１つのセルに対する報知情報の送信に成功した場合に、報知情報の送信に成功したセルの数及び識別情報を、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）及びセルの識別情報（例えば、Ｅ-ＣＧＩ）として設定し、工程Ｂにおいて、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」を設定し、工程Ｃにおいて、交換局ＭＭＥは、「ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」が設定されている場合に、無線基地局ｅＮＢにおいて障害が発生していることを検出することを要旨とする。
【００６３】
本実施形態の第１の特徴において、工程Ｂにおいて、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内に、「Ｃａｕｓｅ（障害の原因）」を設定し、工程Ｃにおいて、交換局ＭＭＥは、「ＷＲＩＴＥ-ＲＥＰＬＡＣＥ  ＷＡＲＮＩＮＧ  ＲＥＳＰＯＮＳＥメッセージ」に含まれる情報要素「Ｂｒｏａｄｃａｓｔ  Ｃｏｍｐｌｅｔｅｄ  Ａｒｅａ  Ｌｉｓｔ」内に設定されている「Ｃａｕｓｅ」に対応する処理を行ってもよい。
【００６４】
本実施形態の第２の特徴は、移動通信方法であって、無線基地局ｅＮＢが、交換局ＭＭＥから受信した「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信する工程Ａと、無線基地局ｅＮＢが、「ＷＲＩＴＥ-ＲＥＰＬＡＣＥ  ＷＡＲＮＩＮＧ  ＲＥＱＵＥＳＴメッセージ」に応じて、交換局ＭＭＥに対して、セルの数（例えば、Ｃｅｌｌ  ＩＤ  Ｂｒｏａｄｃａｓｔ）及びセルの識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ」を送信する工程Ｂと、交換局ＭＭＥが、「ＷＲＩＴＥ-ＲＥＰＬＡＣＥ  ＷＡＲＮＩＮＧ  ＲＥＳＰＯＮＳＥメッセージ」を受信する工程Ｃとを有し、工程Ｂにおいて、無線基地局ｅＮＢは、複数のセルの少なくとも１つのセルに対する報知情報の送信に成功した場合に、報知情報の送信に成功したセルの数及び識別情報を、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）及びセルの識別情報（例えば、Ｅ-ＣＧＩ）として設定し、工程Ｂにおいて、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を送信し、工程Ｃにおいて、交換局ＭＭＥは、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を受信した場合に、無線基地局ｅＮＢにおいて障害が発生していることを検出することを要旨とする。
【００６５】
本実施形態の第３の特徴は、移動通信方法であって、無線基地局ｅＮＢが、交換局ＭＭＥから受信した「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信する工程Ａと、無線基地局ｅＮＢが、「ＷＲＩＴＥ-ＲＥＰＬＡＣＥ  ＷＡＲＮＩＮＧ  ＲＥＱＵＥＳＴメッセージ」に応じて、「ＷＲＩＴＥ-ＲＥＰＬＡＣＥ  ＷＡＲＮＩＮＧ  ＲＥＳＰＯＮＳＥメッセージ」を送信する工程Ｂと、交換局ＭＭＥが、「ＷＲＩＴＥ-ＲＥＰＬＡＣＥ  ＷＡＲＮＩＮＧ  ＲＥＳＰＯＮＳＥメッセージ」を受信する工程Ｃとを有し、工程Ｂにおいて、無線基地局ｅＮＢは、複数のセルの少なくとも１つのセルに対する報知情報の送信に成功した場合に、報知情報の送信に成功したセルの数（例えば、Ｃｅｌｌ  ＩＤ  Ｂｒｏａｄｃａｓｔ）及び識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ（第１送信応答）」を送信し、工程Ｂにおいて、無線基地局ｅＮＢは、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＦＡＩＬＵＲＥメッセージ（第２送信応答）」を送信し、工程Ｃにおいて、交換局ＭＭＥは、「ＷＲＩＴＥ-ＲＥＰＬＡＣＥ  ＷＡＲＮＩＮＧ  ＦＡＩＬＵＲＥメッセージ」を受信した場合に、無線基地局ｅＮＢにおいて障害が発生していることを検出することを要旨とする。
【００６６】
本実施形態の第４の特徴は、無線基地局ｅＮＢであって、交換局ＭＭＥから受信した「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信するように構成されている報知情報送信部１２と、「ＷＲＩＴＥ-ＲＥＰＬＡＣＥ  ＷＡＲＮＩＮＧ  ＲＥＱＵＥＳＴメッセージ」に応じて、交換局ＭＭＥに対して、セルの数（例えば、Ｃｅｌｌ  ＩＤ  Ｂｒｏａｄｃａｓｔ）及びセルの識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ」を送信するように構成されている送信応答送信部１３とを具備し、送信応答送信部１３は、複数のセルの少なくとも１つのセルに対する報知情報の送信に成功した場合に、報知情報の送信に成功したセルの数及び識別情報を、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）及びセルの識別情報（例えば、Ｅ-ＣＧＩ）として設定するように構成されており、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）に「０」をするように構成されていることを要旨とする。
【００６７】
本実施形態の第４の特徴において、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」内に、「Ｃａｕｓｅ（障害の原因）」を設定するように構成されていてもよい。
【００６８】
本実施形態の第５の特徴は、無線基地局ｅＮＢであって、交換局ＭＭＥから受信した「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信するように構成されている報知情報送信部１２と、「ＷＲＩＴＥ-ＲＥＰＬＡＣＥ  ＷＡＲＮＩＮＧ  ＲＥＱＵＥＳＴメッセージ」に応じて、交換局ＭＭＥに対して、セルの数（例えば、Ｃｅｌｌ  ＩＤ  Ｂｒｏａｄｃａｓｔ）及びセルの識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ」を送信するように構成されている送信応答送信部１３とを具備し、送信応答送信部１３は、複数のセルの少なくとも１つのセルに対する報知情報の送信に成功した場合に、報知情報の送信に成功したセルの数及び識別情報を、情報要素「Ｂｒｏａｄｃａｓｔ  Ｃｏｍｐｌｅｔｅｄ  Ａｒｅａ  Ｌｉｓｔ」内のセルの数（例えば、Ｃｅｌｌ  ＩＤ  Ｂｒｏａｄｃａｓｔ）及びセルの識別情報（例えば、Ｅ-ＣＧＩ）として設定するように構成されており、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＲＥＳＰＯＮＳＥメッセージ」を送信するように構成されていることを要旨とする。
【００６９】
本実施形態の第６の特徴は、無線基地局ｅＮＢであって交換局ＭＭＥから受信した「ＷＲＩＴＥ-ＲＥＰＬＡＣＥ  ＷＡＲＮＩＮＧ  ＲＥＱＵＥＳＴメッセージ」に含まれている情報要素「Ｗａｒｎｉｎｇ  Ａｒｅａ  Ｌｉｓｔ」によって指定されている複数のセルに対して報知情報を送信するように構成されている報知情報送信部１２と、「ＷＲＩＴＥ-ＲＥＰＬＡＣＥ  ＷＡＲＮＩＮＧ  ＲＥＱＵＥＳＴメッセージ」に応じて、交換局ＭＭＥに対して、「ＷＲＩＴＥ-ＲＥＰＬＡＣＥ  ＷＡＲＮＩＮＧ  ＲＥＳＰＯＮＳＥメッセージ」を送信するように構成されている送信応答送信部１３とを具備し、送信応答送信部１３は、前記複数のセルの少なくとも１つのセルに対する前記報知情報の送信に成功した場合に、報知情報の送信に成功したセルの数（例えば、Ｃｅｌｌ  ＩＤ  Ｂｒｏａｄｃａｓｔ）及び識別情報（例えば、Ｅ-ＣＧＩ）が設定されている情報要素「Ｂｒｏａｄｃａｓｔ  Ｃｏｍｐｌｅｔｅｄ  Ａｒｅａ  Ｌｉｓｔ」を含む「ＷＲＩＴＥ-ＲＥＰＬＡＣＥ  ＷＡＲＮＩＮＧ  ＲＥＳＰＯＮＳＥメッセージ（第１送信応答）」を送信するように構成されており、送信応答送信部１３は、複数のセルの全てに対して報知情報を送信できなかった場合に、情報要素「Ｂｒｏａｄｃａｓｔ  Ｃｏｍｐｌｅｔｅｄ  Ａｒｅａ  Ｌｉｓｔ」を含まない「ＷＲＩＴＥ-ＲＥＰＬＡＣＥ  ＷＡＲＮＩＮＧ  ＦＡＩＬＵＲＥメッセージ（第２送信応答）」を送信するように構成されていることを要旨とする。
【００７０】
なお、上述の無線基地局ｅＮＢや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや交換局ＭＭＥ内に設けられていてもよい。また、かかる記憶媒体及びプロセッサは、ディスクリートコンポーネントとして無線基地局ｅＮＢや移動局ＵＥや交換局ＭＭＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ｅＮＢ…無線基地局
１１…送信要求受信部
１２…報知情報送信部
１３…送信応答送信部
ＭＭＥ…交換局
２１…報知情報受信部
２２…送信要求送信部
２３…送信応答受信部
２４…記憶部
２５…通知部
【図１】
2010178322.tif 000003
【図２】
2010178322.tif 000004
【図３】
2010178322.tif 000005
【図４】
2010178322.tif 000006
【図５】
2010178322.tif 000007
【図６】
2010178322.tif 000008
【図７】
2010178322.tif 000009
【図８】
2010178322.tif 000010
【図９】
2010178322.tif 000011
【図１０】
2010178322.tif 000012
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
無線基地局が、交換局から受信した送信要求によって指定されている複数のセルに対して報知情報を送信する工程Ａと、
前記無線基地局が、前記送信要求に応じて、前記交換局に対して、セルの数及びセルの識別情報が設定されている情報要素を含む送信応答を送信する工程Ｂと、
前記交換局が、前記送信応答を受信する工程Ｃとを有し、
前記工程Ｂにおいて、前記無線基地局は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定し、
前記工程Ｂにおいて、前記無線基地局は、前記複数のセルの全てに対して前記報知情報を送信できなかった場合に、前記情報要素を含まない送信応答を送信し、
前記工程Ｃにおいて、前記交換局は、前記情報要素を含まない送信応答を受信した場合に、前記無線基地局において障害が発生していることを検出することを特徴とする移動通信方法。
【請求項２】
交換局から受信した送信要求によって指定されている複数のセルに対して報知情報を送信するように構成されている報知情報送信部と、
前記送信要求に応じて、前記交換局に対して、セルの数及びセルの識別情報が設定されている情報要素を含む送信応答を送信するように構成されている送信応答送信部とを具備し、
前記送信応答送信部は、前記複数のセルの少なくとも１つのセルに対する前記報知情報の送信に成功した場合に、該報知情報の送信に成功したセルの数及び識別情報を、前記情報要素内の前記セルの数及び前記セルの識別情報として設定するように構成されており、
前記送信応答送信部は、前記複数のセルの全てに対して前記報知情報を送信できなかった場合に、前記情報要素を含まない送信応答を送信するように構成されていることを特徴とする無線基地局。